(57)【要約】      （修正有）【課題】足腰の弱いお年寄りなどであっても、安全に使用することができるトレーニング用マットを提供する。【解決手段】基礎板２が、クッション性を有し、所定の厚みを有している。表層板３が、基礎板２より薄く、クッション性を有し、基礎板２の表面に貼り付けられている。表層板３は、表面全体に、複数の突起４を千鳥配列で有している。各突起４は、径の異なる円盤を径の大きい順に複数重ねた形状を有し、周囲から中心にかけて段差をなして高くなっている。各突起４は、同心円状の複数の凸部と複数の溝部とを有している。各溝部は、各凸部の間、段差の境界に形成されている。【選択図】図２
0003187758.tif 000002
【実用新案登録請求の範囲】
【請求項１】
クッション性の基礎板と、クッション性の複数の突起とを有し、
各突起は前記基礎板の表面に設けられ、周囲から中心にかけて段差をなして高くなり、前記段差の境界に溝部を有することを、
特徴とするトレーニング用マット。
【請求項２】
前記突起は前記基礎板の表面に千鳥配列または格子配列で配置されていることを、特徴とする請求項１記載のトレーニング用マット。
【請求項３】
所定の隣接する複数の列の前記突起の高さが、他の列の前記突起の高さより高く形成されていることを、特徴とする請求項２記載のトレーニング用マット。
【考案の詳細な説明】
【技術分野】
【０００１】
本考案は、トレーニング用マットに関する。
【背景技術】
【０００２】
従来、マッサージ等で使用されるマットとして、ゴム製のマットの一面全体に、同一の大きさをもつ半球状の突起物を縦横に整列させて配置したものや（例えば、特許文献１参照）、多数の穴を設けたガイト板に、座付き突起を嵌入して立設し、その下に発泡スチロールの弾性基板を敷いて、全体を袋状布で覆ったものがある（例えば、特許文献２参照）。
【先行技術文献】
【特許文献】
【０００３】
【特許文献１】実開平６−７５４９１号公報
【特許文献２】特開平１１−１６９４２５号公報
【考案の概要】
【考案が解決しようとする課題】
【０００４】
しかしながら、特許文献１や特許文献２に記載のような従来のマットは、使用者が上に乗ったとき、突起がある程度潰れたり基板ごと窪んだりするが、突起の凹み方が十分でなく、突起のクッション性が弱かった。このため、足腰の弱いお年寄りなどが、リハビリトレーニングやマッサージなどで立って使用すると、不安定になり、よろけたり転倒したりする危険があるという課題があった。
【０００５】
本考案は、このような課題に着目してなされたもので、足腰の弱いお年寄りなどであっても、安全に使用することができるトレーニング用マットを提供することを目的とする。
【課題を解決するための手段】
【０００６】
上記目的を達成するために、本考案に係るトレーニング用マットは、クッション性の基礎板と、クッション性の複数の突起とを有し、各突起は前記基礎板の表面に設けられ、周囲から中心にかけて段差をなして高くなり、前記段差の境界に溝部を有することを、特徴とする。
【０００７】
本考案に係るトレーニング用マットは、各突起が、周囲から中心にかけて段差をなして高くなり、段差の境界に溝部を有するため、使用者が上に乗ったとき、突起が上から段々に潰れて凹みやすく、突起のクッション性が高い。このため、足腰の弱いお年寄りなどであっても、安定して立つことができ、安全に使用することができる。また、各段差を足の裏で感じ取ることにより、足の裏の感覚が敏感になり、運動能力が向上する。
【０００８】
本考案に係るトレーニング用マットは、安全に立って使用できるため、お年寄りや障害者などのリハビリトレーニングや運動、マッサージに使用することができる。例えば、各突起につま先を掛けて立ったり、各突起を利用して、足の裏や手足の指先などを刺激したりすることができる。
【０００９】
本考案に係るトレーニング用マットは、ストレッチなどの運動の際に、足などを引っ掛けて、運動の補助に使用することもできる。また、本考案に係るトレーニング用マットを２枚準備し、一方の上に他方を上下反対にして重ねることにより、厚みのあるマットにして、リハビリトレーニングなどに利用することもできる。このとき、向かい合う各突起をずらして噛みあわせることにより、横にずれにくくなる。
【００１０】
本考案に係るトレーニング用マットで、基礎板および各突起は、クッション性を有する素材、例えば、ゴムやウレタン樹脂、ＥＶＡ（エチレン・酢酸ビニル共重合体）樹脂などから成る。各突起は、段差を複数有することが好ましい。各突起は、径の異なる円盤を径の大きい順に複数重ねた形状を有することが好ましい。各円盤の周縁部は面取りされていることが好ましく、最上部は球面状に滑らかであることが好ましい。
【００１１】
本考案に係るトレーニング用マットにおいて、前記突起は前記基礎板の表面に千鳥配列または格子配列で配置されていることが好ましい。この場合、各突起を、密に配置することができる。
【００１２】
本考案に係るトレーニング用マットは、所定の隣接する複数の列の前記突起の高さが、他の列の前記突起の高さより高く形成されていてもよい。この場合、突起の高さの違いを利用して、リハビリトレーニングや運動、マッサージを行うことができる。例えば、高い突起の列につま先を掛けてリハビリトレーニングを行ったり、高い突起の列を利用して土踏まずを刺激したりすることができる。
【考案の効果】
【００１３】
本考案によれば、足腰の弱いお年寄りなどであっても、安全に使用することができるトレーニング用マットを提供することができる。
【図面の簡単な説明】
【００１４】
【図１】本考案の実施の形態のトレーニング用マットを示す平面図である。
【図２】図１に示すトレーニング用マットのＡ−Ａ’線断面図である。
【図３】図１に示すトレーニング用マットの（ａ）突起の拡大断面図、（ｂ）Ｂ領域の突起を高く形成した変形例の、高く形成された突起の拡大断面図である。
【考案を実施するための形態】
【００１５】
以下、図面に基づき本考案の実施の形態について説明する。
図１乃至図３は、本考案の実施の形態のトレーニング用マットを示している。
図１および図２に示すように、トレーニング用マット１は、基礎板２と表層板３とを有している。
【００１６】
基礎板２は、ＥＶＡ樹脂製で、力を加えると弾力的に凹んで、力を取り除くと復元するクッション性を有している。基礎板２は、所定の厚みを有する矩形板状を成している。基礎板２は、側面および底面に滑り止め用の格子模様が薄く形成されている。
【００１７】
表層板３は、ＥＶＡ樹脂製で、力を加えると弾力的に凹んで、力を取り除くと復元するクッション性を有している。表層板３は、基礎板２より薄く、矩形状で、基礎板２と同じ平面寸法を有している。表層板３は、基礎板２の表面を覆うよう、基礎板２の表面に貼り付けられている。表層板３は、表面全体に、複数の突起４を千鳥配列で有している。すなわち、等間隔で一直線一列に並んだ複数の突起４が平行に複数列並び、隣の列はピッチが半分ずれて、突起４が交互に配置されている。
【００１８】
図１、図２および図３（ａ）に示すように、各突起４は、径の異なる円盤を径の大きい順に複数重ねた形状を有し、周囲から中心にかけて段差をなして高くなっている。各突起４は、同心円状の複数（一例で３つ）の凸部４ａと、複数（一例で２つ）の溝部４ｂとを有している。各溝部４ｂは、各凸部４ａの間、段差の境界に形成されている。各凸部４ａは、突起４の中心に向かって段階的に高くなっている。各凸部４ａは周縁部が面取りされ、最上部は球面状に滑らかになっている。各溝部４ｂは、同心円状の外側の凸部４ａと内側の凸部４ａとの間で、下方に切れ込んでいる。
【００１９】
なお、図１、図２および図３（ａ）に示す具体的な一例では、基礎板２および表層板３は、横が約５００ｍｍ、縦が約４００ｍｍである。基礎板２は、厚みが４０ｍｍである。表層板３は、突起４がない部分の厚みが１．５ｍｍである。各突起４は、表層板３の表面からの中心の凸部４ａの高さが５．５ｍｍ、表層板３の表面での直径が２１．５ｍｍである。
【００２０】
次に、作用について説明する。
トレーニング用マット１は、各突起４が、周囲から中心にかけて段差をなして高くなり、段差の境界に溝部４ｂを有するため、使用者が上に乗ったとき、突起４が上から段々に潰れて凹みやすく、突起４のクッション性が高い。このため、足腰の弱いお年寄りなどであっても、安定して立つことができ、安全に使用することができる。また、各段差を足の裏で感じ取ることにより、足の裏の感覚が敏感になり、運動能力が向上する。
【００２１】
トレーニング用マット１は、安全に立って使用できるため、お年寄りや障害者などのリハビリトレーニングや運動、マッサージに使用することができる。例えば、各突起４につま先を掛けて立ったり、各突起４を利用して、足の裏や手足の指先などを刺激したりすることができる。
【００２２】
トレーニング用マット１は、ストレッチなどの運動の際に、足などを引っ掛けて、運動の補助に使用することもできる。また、トレーニング用マット１を２枚準備し、一方の上に他方を上下反対にして重ねることにより、厚みのあるマットにして、リハビリトレーニングなどに利用することもできる。このとき、向かい合う各突起４をずらして噛みあわせることにより、横にずれにくくなる。
【００２３】
トレーニング用マット１は、突起４が基礎板２の表面に千鳥配列で配置されているため、各突起を、密に配置することができる。突起４は、基礎板２の表面に格子配列、すなわち、等間隔で一直線一列に並んだ複数の突起４が縦方向および横方向にそれぞれ平行に複数列並んで配置されていてもよい。
【００２４】
なお、トレーニング用マット１は、所定の隣接する複数の列の突起４の高さが、他の列の突起４の高さよりも高く形成されていてもよい。例えば、図１の破線で囲まれたＢ領域の４列の突起４を、図３（ｂ）に示すように、他の突起４より高く形成してもよい。図３（ｂ）に示す具体的な一例では、各突起４は、表層板３の表面からの中心の凸部４ａの高さが８ｍｍである。この場合、突起４の高さの違いを利用して、リハビリトレーニングや運動、マッサージを行うことができる。例えば、高い突起４の列につま先を掛けてリハビリトレーニングを行ったり、高い突起４の列を利用して土踏まずを刺激したりすることができる。
【符号の説明】
【００２５】
１  トレーニング用マット
２  基礎板
３  表層板
４  突起
４ａ  凸部
４ｂ  溝部
【図１】
0003187758.tif 000003
【図２】
0003187758.tif 000004
【図３】
0003187758.tif 000005